(57)【要約】【課題】簡素な構成で高品質のエコーを付与する。【解決手段】音声出力装置は、複数のスピーカ１５４の内、第１スピーカ１５４ａは前面側に向けて音声を出力するべく配設され、第２スピーカ１５４ｂは略背面側に向けて音声を出力するべく配設され、複数のスピーカ１５４の背面側に配設され、第２スピーカ１５４ｂからの音声を反射し、反射された音声を前面側へ出力する反射板１５７を備えている。【選択図】図２
2009049804.tif 000002
【特許請求の範囲】
【請求項１】
隣接する複数のスピーカを備え、入力された１の音声信号を前記複数のスピーカを介して音声を出力する音声出力装置であって、
前記複数のスピーカの内、１のスピーカは前面側に向けて音声を出力するべく配設され、他の１のスピーカは略背面側に向けて音声を出力するべく配設され、
前記複数のスピーカの背面側に配設され、前記他の１のスピーカからの音声を反射し、反射された音声を前面側へ出力する反射部材を備えることを特徴とする音声出力装置。
【請求項２】
前記他の１のスピーカは、前記１のスピーカの背面側に配設されていることを特徴とする請求項１に記載の音声出力装置。
【請求項３】
前記反射部材を支持し、前後方向に移動する可動部材を備えることを特徴とする請求項１又は請求項２に記載の音声出力装置。
【請求項４】
前記可動部材を前後方向に駆動する駆動手段と、
前記駆動手段に対して、前記可動部材の前後方向位置を指示する位置制御手段と、
を備えることを特徴とする請求項３に記載の音声出力装置。
【請求項５】
前記可動部材の前後方向位置を、エコーのレベルを示すレベル情報と対応付けて予め格納する位置記憶手段と、
外部からの操作入力を受け付けて、受け付けられた操作入力に基づいて、エコーのレベルを設定するレベル受付手段と、
を備え、
前記位置制御手段は、前記レベル受付手段によって設定されたエコーのレベルに対応する前記可動部材の前後方向位置を、前記位置記憶手段から読み出して設定し、前記駆動手段に対して指示することを特徴とする請求項４に記載の音声出力装置。
【請求項６】
テレビジョン放送を受信する受信手段と、
請求項１〜請求項５のいずれかに記載の音声出力装置と、
を備え、
前記受信手段を介して前記１の音声信号が入力されることを特徴とする放送受信装置。
【発明の詳細な説明】
【技術分野】
【０００１】
本発明は、隣接する２以上の所定数のスピーカを備え、入力された１の音声信号を前記所定数のスピーカを介して音声を出力する音声出力装置に関する。特に、テレビジョン放送を受信し、受信した１の音声信号を隣接する２以上の所定数のスピーカに出力可能に接続された放送受信装置に関する。
【背景技術】
【０００２】
テレビジョン放送を受信し、外部から視認可能にモニタに出力可能に構成された放送受信装置では、臨場感を醸し出すために、エコー等の種々の音響効果を付与することが提案されている。例えば、入力された音声信号と、その音声信号を遅延器及び減衰器を介して遅延減衰させた音声信号と、を重畳させてスピーカに出力する残響音付加装置が開示されている（特許文献１参照）。
【特許文献１】特開平４−１７４９００号公報
【発明の開示】
【発明が解決しようとする課題】
【０００３】
しかしながら、上記残響音付加装置では、複数の音声信号が重畳されて１のスピーカから出力されるため、複雑な音声信号を忠実に再現可能な（＝高性能の）スピーカを配設する必要があった。また、複数の音声信号が重畳される際に、ノイズが混入する場合があり、ノイズ対策を講じる必要があった。
【０００４】
本発明は、上記課題に鑑みてなされたものであって、簡素な構成で高品質のエコーを付与することの可能な音声出力装置及び放送受信装置を提供することを目的としている。
【課題を解決するための手段】
【０００５】
上記目的を達成するために請求項１に記載の音声出力装置は、隣接する複数のスピーカを備え、入力された１の音声信号を前記複数のスピーカを介して音声を出力する音声出力装置であって、前記複数のスピーカの内、１のスピーカが前面側に向けて音声を出力するべく配設され、他の１のスピーカが略背面側に向けて音声を出力するべく配設され、前記複数のスピーカの背面側に配設され、前記他の１のスピーカからの音声を反射し、反射された音声を前面側へ出力する反射部材を備えることを特徴としている。
【０００６】
請求項２に記載の音声出力装置は、請求項１に記載の音声出力装置であって、前記他の１のスピーカが、前記１のスピーカの背面側に配設されていることを特徴としている。
【０００７】
請求項３に記載の音声出力装置は、請求項１又は請求項２に記載の音声出力装置であって、前記反射部材を支持し、前後方向に移動する可動部材を備えることを特徴としている。
【０００８】
請求項４に記載の音声出力装置は、請求項３に記載の音声出力装置であって、前記可動部材を前後方向に駆動する駆動手段と、前記駆動手段に対して、前記可動部材の前後方向位置を指示する位置制御手段と、を備えることを特徴としている。
【０００９】
請求項５に記載の音声出力装置は、請求項４に記載の音声出力装置であって、前記可動部材の前後方向位置を、エコーのレベルを示すレベル情報と対応付けて予め格納する位置記憶手段と、外部からの操作入力を受け付けて、受け付けられた操作入力に基づいて、エコーのレベルを設定するレベル受付手段と、を備え、前記位置制御手段が、前記レベル受付手段によって設定されたエコーのレベルに対応する前記可動部材の前後方向位置を、前記位置記憶手段から読み出して設定し、前記駆動手段に対して指示することを特徴としている。
【００１０】
請求項６に記載の放送受信装置は、テレビジョン放送を受信する受信手段と、請求項１〜請求項５のいずれかに記載の音声出力装置と、を備え、前記受信手段を介して前記１の音声信号が入力されることを特徴としている。
【発明の効果】
【００１１】
請求項１に記載の音声出力装置によれば、複数のスピーカの内、１のスピーカが前面側に向けて音声を出力するべく配設され、他の１のスピーカが略背面側に向けて音声を出力するべく配設され、複数のスピーカの背面側に配設された反射部材によって、他の１のスピーカからの音声が反射され、反射された音声が前面側へ出力されるため、簡素な構成で高品質のエコーを付与することができる。
【００１２】
すなわち、他の１のスピーカからの音声は、１のスピーカから出力される音声に対して、他の１のスピーカから反射部材に到達するのに要する時間、及び、反射部材からの音声が１のスピーカの位置まで到達するのに要する時間の加算時間（＝遅延時間）だけ遅延された音声が出力されるため、音声信号を重畳する処理を施すことなくエコーを付与することができるので、簡素な構成で高品質のエコーを付与することができるのである。
【００１３】
請求項２に記載の音声出力装置によれば、他の１のスピーカが、１のスピーカの背面側に配設されているため、他の１のスピーカから出力される音声が、１のスピーカによって遮られることなく反射部材に到達するので、更に簡素な構成で高品質のエコーを付与することができる。
【００１４】
請求項３に記載の音声出力装置によれば、可動部材によって反射部材が支持され、前後方向に移動されるため、付与するエコーのレベルを変更することができる。
【００１５】
すなわち、反射部材を前後方向に移動することによって、他の１のスピーカから反射部材に到達するのに要する時間、及び、反射部材からの音声が１のスピーカの位置まで到達するのに要する時間の加算時間である１のスピーカから出力される音声に対する遅延時間を、変更することが可能となるので、付与するエコーのレベルを変更することができるのである。
【００１６】
つまり、例えば、反射部材を背面側に移動すると、他の１のスピーカから反射部材に到達するのに要する時間、及び、反射部材からの音声が１のスピーカの位置まで到達するのに要する時間が共に長くなるため、１のスピーカから出力される音声に対する遅延時間を長くすることができる（＝強いエコーを発生することができる）のである。
【００１７】
請求項４に記載の音声出力装置によれば、可動部材の前後方向位置が指示されて、指示に基づいて可動部材が前後方向に駆動されるため、ユーザが所望するエコーレベルに対応する可動部材の前後方向位置を指示することによって、ユーザが所望するレベルのエコーを発生することが可能となる。
【００１８】
請求項５に記載の音声出力装置によれば、可動部材の前後方向位置が、エコーのレベルを示すレベル情報と対応付けて位置記憶手段に予め格納されており、外部からの操作入力が受け付けられて、受け付けられた操作入力に基づいて、エコーのレベルが設定される。そして、設定されたエコーのレベルに対応する可動部材の前後方向位置が、位置記憶手段から読み出されて設定されて、設定された前後方向位置に移動するべく指示されるため、ユーザが所望するエコーレベルを設定することによって、ユーザが所望するレベルのエコーを発生することができる。
【００１９】
請求項６に記載の放送受信装置によれば、テレビジョン放送を受信する受信手段を介して１の音声信号が入力され、請求項１〜請求項５のいずれかに記載の音声出力装置を備えため、簡素な構成で更に高品質のエコーを付与することが可能な放送受信装置を実現することができる。
【発明を実施するための最良の形態】
【００２０】
以下に本発明の実施形態を、図面を参照しながら説明する。図１は、本発明に係る音声出力装置を備えるデジタル放送受信機１の構成の一例を示すブロック図である。デジタル放送受信機１（音声出力装置、放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２１】
デジタル放送受信機１は、リモコン２を介してユーザからの操作入力を受け付けて、テレビジョン放送を受信し、ディスプレイ１７３及びスピーカ１５４に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００２２】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２３】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００２４】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００２５】
音声出力部１５は、受信部１４によって受信されたテレビジョン放送に対応する１の音声を出力するものであって、Ｄ／Ａ変換部１５１、音声信号出力部１５２、モータ１５３、及び、スピーカ１５４を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。
【００２６】
モータ１５３（駆動手段に相当する）は、ステッピングモータ等からなり、後述する反射板１５７（図２参照）を前後方向に駆動するものである。スピーカ１５４は、音声信号出力部１５２から出力された音声信号に対応する音声を出力するものであって、ここでは、第１スピーカ１５４ａ及び第２スピーカ１５４ｂを備えている（図２参照）。
【００２７】
なお、受信部１４を介して、ステレオ音声（右側から出力するべき１の音声信号と、左側から出力するべき他の１の音声信号）が入力される場合には、右側に配設された第１スピーカ１５４ａ、及び、第２スピーカ１５４ｂからは、右側から出力するべき１の音声信号に対応する音声が出力され、左側に配設された第１スピーカ１５４ａ、及び、第２スピーカ１５４ｂからは、左側から出力するべき他の１の音声信号に対応する音声が出力される。以下の説明においては、一方（例えば右側）に配設された第１スピーカ１５４ａ、及び、第２スピーカ１５４ｂについて説明し、他方（例えば左側）配設された第１スピーカ１５４ａ、及び、第２スピーカ１５４ｂについてはその説明を省略する。
【００２８】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００２９】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３０】
赤外線通信部１８は、リモコン２からの電源のＯＮ、ＯＦＦ操作、選局、デジタル放送受信機１の各種設定（例えば、エコーレベルの設定）等の各種操作を受け付けるものである。リモコン２（レベル受付手段の一部に相当する）は、種々のキーを備え、キーの押下を介してユーザからの操作入力を受け付けて、操作入力に対応する赤外線信号を生成して、デジタル放送受信機１に対して出力するものである。
【００３１】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５４から音声が出力される。
【００３３】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００３４】
図２は、本発明に係る音声出力装置の機械的構成の一例を示す側面断面図である。図の左右方向は、前後方向（右側が前面側（＝ユーザが視聴する側）であって、左側が背面側である）である。音声出力装置は、図の右側に、２個のスピーカ１５４（＝第１スピーカ１５４ａ、第２スピーカ１５４ｂ）が配設され、スピーカ１５４の背面側に反射板１５７が配設され、反射板１５７の背面側端部に連結部材１５６が係止され、連結部材１５６の背面側に可動板１５５が係止され、可動板１５５が減速器等を介してモータ１５３に接続されて構成されている。
【００３５】
第１スピーカ１５４ａ（「１のスピーカ」に相当する）は、受信部１４を介して入力された音声信号に対応する音声を出力するものであって、前面側に向けて音声を出力するべく配設され、図略の支持部材等を介して図略のスピーカボックスに係止（＝固定）されている。
【００３６】
第２スピーカ１５４ｂ（「他の１のスピーカ」に相当する）は、受信部１４を介して入力された音声信号に対応する音声を、第１スピーカ１５４ａから出力される音声に対して遅延させて出力するものであって、第１スピーカ１５４ａの背面側に、略背面側（図の角θ≒０）に向けて音声を出力するべく配設され、図略の支持部材等を介して図略のスピーカボックスに係止（＝固定）されている。
【００３７】
ただし、第２スピーカ１５４ｂが、背面側に向けて音声を出力する場合（図の角θ＝０の場合）には、反射板１５７から反射された音声が第２スピーカ１５４ｂによって遮られるため、図の角θは、反射板１５７から反射された音声が第２スピーカ１５４ｂによって遮られることを回避するべく適正な大きさ（例えば、１０°程度）に設定されている。
【００３８】
反射板１５７（反射部材に相当する）は、２個のスピーカ１５４（＝第１スピーカ１５４ａ、第２スピーカ１５４ｂ）の背面側に配設され、第２スピーカ１５４ｂからの音声を反射し、反射された音声を前面側へ出力するものである。また、反射板１５７は、第２スピーカ１５４ｂの音源位置を焦点とする放物面を備え、該放物面において、第２スピーカ１５４ｂからの音声波を前面側に向けて反射するものである。
【００３９】
連結部材１５６（可動部材の一部に相当する）は、一方端が反射板１５７に係止され、他方端が可動板１５５に係止された複数の（ここでは、４本の）棒状部材であって、反射板１５７を前後方向（図の左右方向）に移動可能に支持するものである。
【００４０】
可動板１５５（可動部材の一部に相当する）は、前面側に連結部材１５６が立設された板状部材であって、モータ１５３によって駆動されて前後方向（図の左右方向）に移動可能に構成されている。すなわち、可動板１５５、連結部材１５６、及び、反射板１５７は、一体として前後方向（図の左右方向）に移動するものである。
【００４１】
モータ１５３（駆動手段に相当する）は、例えばステッピングモータ等からなり、図略の減速器等を介して可動板１５５を前後方向（図の左右方向）に駆動するものである。
【００４２】
なお、図に示す、第１スピーカ１５４ａの音源位置と、第２スピーカ１５４ｂの音源位置との距離ΔＬ１、第２スピーカ１５４ｂの音源位置と、反射板１５７との距離ΔＬ２、及び、反射板１５７の移動距離ΔＬ３に基づいて、第２スピーカ１５４ｂからの音声の、第１スピーカ１５４ａからの音声に対する遅延時間ΔＴが決定される。
【００４３】
ここでは、角θ≒０である場合について説明する。遅延時間ΔＴは、次の式（１）によって求められる。
ΔＴ＝（ΔＬ１＋２×（ΔＬ２＋ΔＬ３））／ＶＳ      （１）
ここで、ＶＳは音速である。
従って、距離ΔＬ３を変更することによって、遅延時間ΔＴを変更することができるため、エコーレベルを変更することができるのである。すなわち、距離ΔＬ３を大きくする程、遅延時間ΔＴが長くなり、エコーのレベルを強くすることができるのである。
【００４４】
図３は、本発明に係るデジタル放送受信機１に配設された音声出力装置における主要部の電気的構成の一例を示すブロック図である。ＭＰＵ１１は、機能的に、レベル受付部１１１、及び、位置制御部１１２を備え、ＲＡＭ１２は、機能的に、位置記憶部１２１を備えている。
【００４５】
ここでは、ＭＰＵ１１が、図１に示すＲＯＭ１３等に予め格納された制御プログラムを読み出して実行することにより、レベル受付部１１１、位置制御部１１２等の機能部として機能すると共に、ＲＡＭ１２を、位置記憶部１２１等の機能部として機能させるものである。
【００４６】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４７】
位置記憶部１２１（位置記憶手段に相当する）は、可動板１５５の前後方向位置（ここでは、図２に示す距離ΔＬ３）を、エコーのレベルを示すレベル情報と対応付けて予め格納するものである。図４（ａ）は、位置記憶部１２１に格納されたレベル情報、及び、距離ΔＬ３の一例を示す図表である。図では左欄から順に、エコーのレベルを示すレベル情報、及び、反射板１５７の位置を規定する距離ΔＬ３である。例えば、レベル情報が「１」である場合（弱いエコーを発生させる場合）には、距離ΔＬ３が距離ΔＬ３１（例えば、３ｃｍ）に設定される。また、例えば、レベル情報が「３」である場合（強いエコーを発生させる場合）には、距離ΔＬ３が距離ΔＬ３３（例えば、１０ｃｍ）に設定される。
【００４８】
再び、図３を用いて、音声出力装置における主要部の構成について説明する。レベル受付部１１１（レベル受付手段の一部に相当する）は、リモコン２を介してユーザからの操作入力を受け付けて、受け付けられた操作入力に基づいて、エコーのレベルを設定するものである。ここでは、レベル受付部１１１は、ディスプレイ１７３に図４（ｂ）に示すエコー設定画面４００を表示し、エコー設定画面４００を介してエコーのレベルを設定するものである。
【００４９】
図４（ｂ）は、レベル受付部１１１によってディスプレイ１７３に表示されるエコー設定画面の一例を示す画面図である。エコー設定画面４００には、画面略中央部に、レベル表示部４０１が表示され、画面下部に、設定ボタン４０３、及び、キャンセルボタン４０４が表示されている。エコー設定画面４００は、例えば、レベル受付部１１１によって、リモコン２に配設されたメニューキーが押下されたことが受け付けられた場合に表示されるものである。
【００５０】
レベル表示部４０１は、エコーのレベルを選択可能に表示するものであって、ここでは、４段階（エコーレベル：「０」〜「３」）の中から１のレベルを設定可能に構成されている。また、レベル表示部４０１には、４段階のレベルにおいて選択状態とされているレベルを示す選択表示マーク４０２（ここでは、太枠で示すマーク）が表示されている。
【００５１】
例えば、レベル受付部１１１によって、リモコン２に配設された方向キーが押下されたことが受け付けられた場合に、選択表示マーク４０２が押下された方向キーの種類に応じて移動可能に構成されている。すなわち、上方向キーが押下されたことが受け付けられた場合には、選択表示マーク４０２が、選択中のレベル表示部４０１（例えば、レベル「２」に対応するレベル表示部４０１）の上側のレベル表示部４０１（例えば、レベル「１」に対応するレベル表示部４０１）に移動される。
【００５２】
設定ボタン４０３は、選択状態にあるレベル表示部４０１に対応するレベルを設定する場合に押下されるボタンである。キャンセルボタン４０４は、選択状態をキャンセルする場合に押下されるボタンである。ここで、「押下される」とは、例えば、リモコン２に配設された方向キーによって選択状態とされ、リモコン２に配設された決定キーが押下されたことが受け付けられた場合を意味している。
【００５３】
再び、図３を用いて、音声出力装置における主要部の電気的構成について説明する。位置制御部１１２（位置制御手段に相当する）は、レベル受付部１１１によって設定されたエコーのレベルに対応する可動板１５５の前後方向位置（ここでは、距離ΔＬ３：図２参照）を、位置記憶部１２１から読み出して設定し、モータ１５３に対して指示するものである。
【００５４】
このようにして、複数のスピーカの内、第１スピーカ１５４ａが前面側に向けて音声を出力するべく配設され、第２スピーカ１５４ｂが略背面側に向けて音声を出力するべく配設され、複数のスピーカの背面側に配設された反射板１５７によって、第２スピーカ１５４ｂからの音声が反射され、反射された音声が前面側へ出力されるため、簡素な構成で高品質のエコーを付与することができる。
【００５５】
すなわち、第２スピーカ１５４ｂからの音声は、第１スピーカ１５４ａから出力される音声に対して、第２スピーカ１５４ｂから反射板１５７に到達するのに要する時間、及び、反射板１５７からの音声が第１スピーカ１５４ａの位置まで到達するのに要する時間の加算時間（＝遅延時間）だけ遅延された音声が出力されるため、音声信号を重畳する処理を施すことなくエコーを付与することができるので、簡素な構成で高品質のエコーを付与することができるのである。
【００５６】
また、第２スピーカ１５４ｂが、第１スピーカ１５４ａの背面側に配設されているため、第２スピーカ１５４ｂから出力される音声が、第１スピーカ１５４ａによって遮られることなく反射板１５７に到達するので、更に簡素な構成で高品質のエコーを付与することができる。
【００５７】
更に、可動板１５５によって連結部材１５６を介して反射板１５７が支持され、前後方向に移動されるため、付与するエコーのレベルを変更することができる。
【００５８】
すなわち、反射板１５７を前後方向に移動することによって、第２スピーカ１５４ｂから反射板１５７に到達するのに要する時間、及び、反射板１５７からの音声が第１スピーカ１５４ａの位置まで到達するのに要する時間の加算時間である第１スピーカ１５４ａから出力される音声に対する遅延時間を、変更することが可能となるので、付与するエコーのレベルを変更することができるのである。
【００５９】
つまり、例えば、反射板１５７を背面側に移動すると、第２スピーカ１５４ｂから反射板１５７に到達するのに要する時間、及び、反射板１５７からの音声が第１スピーカ１５４ａの位置まで到達するのに要する時間が共に長くなるため、第１スピーカ１５４ａから出力される音声に対する遅延時間を長くすることができる（＝強いエコーを発生することができる）のである。
【００６０】
加えて、可動板１５５の前後方向位置（ここでは、距離ΔＬ３：図２参照）が指示されて、指示に基づいて可動板１５５が前後方向に駆動されるため、ユーザが所望するエコーレベルに対応する可動板１５５の前後方向位置を指示することによって、ユーザが所望するレベルのエコーを発生することが可能となる。
【００６１】
また、可動板１５５の前後方向位置（ここでは、距離ΔＬ３：図２参照）が、エコーのレベルを示すレベル情報と対応付けて位置記憶部１２１に予め格納されており（図４（ａ）参照）、リモコン２を介してユーザからの操作入力が受け付けられて、受け付けられた操作入力に基づいて、エコーのレベルが設定される。そして、設定されたエコーのレベルに対応する可動板１５５の前後方向位置（ここでは、距離ΔＬ３）が、位置記憶部１２１から読み出されて設定されて、設定された前後方向位置に移動するべく指示されるため、ユーザが所望するエコーレベルを設定することによって、ユーザが所望するレベルのエコーを発生することができる。
【００６２】
なお、本発明は、以下の形態にも適用可能である。
（Ａ）本実施形態では、放送受信装置が、デジタル放送を受信するデジタル放送受信機１である場合について説明したが、放送受信装置が、デジタル放送及びアナログ放送の少なくとも一方を受信する形態であればよい。例えば、放送受信装置が、デジタル放送及びアナログ放送を受信する形態でもよいし、放送受信装置が、アナログ放送を受信する形態でもよい。
【００６３】
（Ｂ）本実施形態では、音声出力装置がデジタル放送受信機１に配設されている場合について説明したが、その他の音声を出力する装置（例えば、ＣＤプレーヤ、ＤＶＤプレーヤ、パーソナルコンピュータ等）に配設されている形態でもよい。
【００６４】
（Ｃ）本実施形態では、音声出力装置が、１の音声信号に対して２個のスピーカ（第１スピーカ１５４ａ、及び、第２スピーカ１５４ｂ）を備える場合について説明したが、音声出力装置が、１の音声信号に対して３個以上のスピーカを備える形態でもよい。例えば、第２スピーカ１５４ｂの背面側に、音声を背面側へ出力する第３スピーカを備える形態でもよい。この場合には、第３スピーカは、第２スピーカ１５４ｂからの音声よりも更に遅延した音声が出力されるため、更に多様なエコーを生成することができる。
【００６５】
（Ｄ）本実施形態では、ＭＰＵ１１が、レベル受付部１１１、位置制御部１１２等の機能部を備える場合について説明したが、レベル受付部１１１、及び、位置制御部１１２の内、少なくとも１の機能部が、回路等のハードウェアによって実現されている形態でもよい。
【００６６】
（Ｅ）本実施形態では、第２スピーカ１５４ｂからの音声の出力方向が背面方向に対してなす角である角θ（図２参照）が、固定である場合について説明したが、角θを変更可能に構成されている形態でもよい。この場合には、更に多様なエコーを生成することができる。
【図面の簡単な説明】
【００６７】
【図１】は、本発明に係る音声出力装置を備えるデジタル放送受信機の構成の一例を示すブロック図である。
【図２】は、本発明に係る音声出力装置の機械的構成の一例を示す側面断面図である。
【図３】は、本発明に係るデジタル放送受信機に配設された音声出力装置における主要部の電気的構成の一例を示すブロック図である。
【図４】は、位置記憶部に格納されたレベル情報、及び、距離ΔＬ３の一例を示す図表、及び、レベル受付部によってディスプレイに表示されるエコー設定画面の一例を示す画面図である。
【符号の説明】
【００６８】
１    デジタル放送受信機（放送受信装置、音声出力装置）
１１    ＭＰＵ
１１１    レベル受付部（レベル受付手段の一部）
１１２    位置制御部（位置制御手段）
１２    ＲＡＭ
１２１    位置記憶部（位置記憶手段）
１４    受信部（受信手段）
１５    音声出力部
１５３    モータ（駆動手段）
１５４    スピーカ
１５４ａ    第１スピーカ（１のスピーカ）
１５４ｂ    第２スピーカ（他の１のスピーカ）
１５５    可動板（可動部材の一部）
１５６    連結部材（可動部材の一部）
１５７    反射板（反射部材）
１７    画像出力部
１７３    ディスプレイ
２    リモコン（レベル受付手段の一部）
【図１】
2009049804.tif 000003
【図２】
2009049804.tif 000004
【図３】
2009049804.tif 000005
【図４】
2009049804.tif 000006